【事件の表示】
　商願２００３−１１２１４６拒絶査定不服審判事件について、次のとおり審決する。
【結　論】
　原査定を取り消す。
　本願商標は、登録すべきものとする。
【理　由】
１　本願商標
　本願商標は、「ケータイサラダ」の片仮名文字を標準文字で書してなり、第９類，第３５類，第３８類及び第４２類に属する願書記載のとおりの商品又は役務を指定商品及び指定役務とし、平成１５年１２月１７日に登録出願されたもので、その後、第３５類の指定役務については、同１６年８月１２日付けの手続補正書により、「広告，トレーディングスタンプの発行，経営の診断又は経営に関する助言，市場調査，商品の販売に関する情報の提供，ホテルの事業の管理，財務書類の作成，職業のあっせん，競売の運営，輸出入に関する事務の代理又は代行，新聞の予約購読の取次ぎ，速記，筆耕，書類の複製，文書又は磁気テープのファイリング，電子計算機・タイプライター・テレックス又はこれらに準ずる事務用機器の操作，建築物における来訪者の受付及び案内，広告用具の貸与，タイプライター・複写機及びワードプロセッサの貸与，求人情報の提供，自動販売機の貸与」と補正されたものである。
　
２　原査定の拒絶の理由
　原査定は、以下の（ア）ないし（ス）の登録商標を引用して、本願商標は、商標法第４条第１項第１１号に該当する旨認定、判断して、本願を拒絶したものである。
（ア）登録第２２９０５５２号商標は、「ＳＡＬＡＤ」の欧文字と「サラダ」の片仮名文字を上下二段に横書きしてなり、昭和６３年３月３日に登録出願され、第７類に属する商標登録原簿に記載のとおりの商品を指定商品として、平成２年１２月２６日に設定登録され、その後、同１３年２月１３日に商標権の存続期間の更新登録がなされ、現に有効に存続しているものである。
（イ）登録第２４６０４９１号商標は、「ＳＡＬＡＤ・サラダ」の文字を横書きしてなり、平成２年２月８日に登録出願され、第１７類に属する商標登録原簿に記載のとおりの商品を指定商品として、同４年９月３０日に設定登録され、その後、同１４年１０月２９日に商標権の存続期間の更新登録がなされ、現に有効に存続しているものである。その後、指定商品については、同１４年１１月２０日に第５類「失禁用おしめ」、第９類「事故防護用手袋，防じんマスク，防毒マスク，溶接マスク，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」とする書換登録がされているものである。
（ウ）登録第２５０４１８８号商標は、「ＳＡＬＡＤ・サラダ」の文字を横書きしてなり、平成２年２月８日に登録出願され、第１２類に属する商標登録原簿に記載のとおりの商品を指定商品として、同５年２月２６日に設定登録され、その後、同１５年３月４日に商標権の存続期間の更新登録がなされ、現に有効に存続しているものである。その後、指定商品については、同１６年７月７日に第６類「いかり，金属製ビット，金属製ボラード，金属製輸送用コンテナ」、第９類「消防艇，ロケット，消防車，自動車用シガーライター」、第１２類「船舶並びにその部品及び附属品（「エアクッション艇」を除く。），航空機並びにその部品及び附属品，鉄道車両並びにその部品及び附属品，自動車並びにその部品及び附属品，二輪自動車・自転車並びにそれらの部品及び附属品，乳母車，人力車，そり，手押し車，荷車，馬車，リヤカー，タイヤ又はチューブの修繕用ゴムはり付け片，エアクッション艇」、第１３類「戦車」、第１９類「ビット及びボラード（金属製のものを除く。）」、第２０類「輸送用コンテナ（金属製のものを除く。）」、第２２類「ターポリン，帆」とする書換登録がされているものである。
（エ）登録第２７１１２３５号商標は、「ＳＡＬＡＤ」の欧文字とやや小さい「サラダ」の片仮名文字を上下二段に横書きしてなり、平成１年８月５日に登録出願され、第２５類に属する商標登録原簿に記載のとおりの商品を指定商品として、平成７年１１月３０日に設定登録され、現在、商標権存続期間は満了しているが、当該権利の存続期間の更新手続きが可能な期間中である。
（オ）登録第２７２２７６６号商標は、「ＳＡＬＡＤ・サラダ」の文字を横書きしてなり、平成２年２月８日に登録出願され、第２４類に属する商標登録原簿に記載のとおりの商品を指定商品として、同９年８月１５日に設定登録され、現に有効に存続しているものである。　
（カ）登録第３００４０５６号商標は、「ＳＡＬＡＤ・サラダ」の文字を横書きしてなり、平成４年４月１日に登録出願され、第３８類に属する商標登録原簿に記載のとおりの役務を指定役務として、同６年９月３０日に設定登録され、その後、同１６年７月１３日に商標権の存続期間の更新登録がなされ、現に有効に存続しているものである。
（キ）登録第３０１５５９１号商標は、「ＳＡＬＡＤ・サラダ」の文字を横書きしてなり、平成４年４月１日に登録出願され、第３５類に属する商標登録原簿に記載のとおりの役務を指定役務として、同６年１２月２２日に設定登録され、その後、同１７年２月１日に商標権の存続期間の更新登録がなされ、現に有効に存続しているものである。
（ク）登録第３１４７２４０号商標は、「サラダ」の片仮名文字を横書きしてなり、平成４年９月３０日に登録出願され、第４２類に属する商標登録原簿に記載のとおりの役務を指定役務として、同８年４月３０日に設定登録され、現に有効に存続しているものである。
（ケ）登録第３２１７３０１号商標は、「ＳＡＬＡＤ・サラダ」の文字を横書きしてなり、平成４年４月１日に登録出願され、第４２類に属する商標登録原簿に記載のとおりの役務を指定役務として、同８年１０月３１日に設定登録され、現に有効に存続しているものである。
（コ）登録第３３４００５５号商標は、「サラダ」の片仮名文字を横書きしてなり、平成７年１月２４日に登録出願され、第９類に属する商標登録原簿に記載のとおりの商品を指定商品として、同９年８月１５日に設定登録され、現に有効に存続しているものである。
（サ）登録第４６４０１５３号商標は、「Ｓａｌａｄａ」の欧文字と「サラダ」の片仮名文字を上下二段に横書きしてなり、平成１４年４月１８日に登録出願され、第１６類に属する商標登録原簿に記載のとおりの商品を指定商品として、平成１５年１月２４日に設定登録され、現に有効に存続しているものである。 
（シ）登録第４６９４９０９号商標は、「Ｓａｌａｄａ」の欧文字と「サラダ」の片仮名文字を上下二段に横書きしてなり、平成１４年１２月２４日に登録出願され、第９類に属する商標登録原簿に記載のとおりの商品を指定商品として、平成１５年７月２５日に設定登録され、現に有効に存続しているものである。
（ス）登録第４７０４９３４号商標は、「サラダ」の片仮名文字を標準文字で書してなり、平成１４年１１月１５日に登録出願され、第７類に属する商標登録原簿に記載のとおりの商品を指定商品として、同１５年８月２９日に設定登録され、現に有効に存続しているものである。
　
３　当審の判断
　本願商標は、前記のとおり、「ケータイサラダ」の片仮名文字を標準文字で書してなるところ、各文字は、同じ書体、同じ間隔で視覚上もまとまりよく一体的に表されており、これより生ずると認められる「ケータイサラダ」の称呼も格別冗長というべきものでなく、無理なく一連に称呼し得るものであるから、かかる構成にあっては、本願商標は、構成文字全体をもって一体不可分のものと認識し把握される造語とみるのが自然であり、他に、構成中の「サラダ」の片仮名文字部分のみが、独立して認識されるとみるべき特段の事情を見いだせない。
　そうとすると、本願商標は、その構成文字全体に相応して「ケータイサラダ」の一連の称呼のみを生ずると判断するのが相当である。
　したがって、本願商標より「サラダ」の称呼をも生ずるとし、原査定において引用する各登録商標と称呼上類似するものとして、本願商標を商標法第４条第１項第１１号に該当するとした原査定は、取消しを免れない。
　その他、政令で定める期間内に本願について拒絶の理由を発見しない。
　よって、結論のとおり審決する。